(57)【要約】【課題】  安価で製作することができ、高強度を有し耐久性にすぐれたペット埋葬具を提供する。【解決手段】  死別したペットを供養するためのペット埋葬具であって、ペットの遺骨等を収納して保管しうる略方体に形成された中空箱状の収納部と、上記収納部の開口部を密閉しうる蓋部とを有し、上記収納部と上記蓋部は、セメントを含有する粉末状混合物、混和剤及び繊維を主成分とする材料を用いて形成されることを特徴とする。上記粉末状混合物にはセメント、珪砂及び反応性微粉末が含有され、上記混和剤には減水剤が使用され、上記繊維として鋼繊維もしくは有機繊維が用いられている。【選択図】  図１
0003124106.tif 000002
【実用新案登録請求の範囲】
【請求項１】
死別したペットを供養するためのペット埋葬具であって、
ペットの遺骨等を収納して保管しうる略方体に形成された中空箱状の収納部と、上記収納部の開口部を密閉しうる蓋部とを有し、上記収納部と上記蓋部は、セメントを含有する粉末状混合物、混和剤及び繊維を主成分とする材料を用いて形成されることを特徴とするペット埋葬具。
【請求項２】
上記粉末状混合物にはセメント、珪砂及び反応性微粉末が含有され、上記混和剤には減水剤が使用され、上記繊維として鋼繊維もしくは有機繊維が用いられたことを特徴とする請求項１記載のペット埋葬具。
【請求項３】
上記収納部及び上記蓋部は、上記粉末状混合物を水及び上記混和剤と共にミキサで混練し、更に繊維を投入して混練した後に型枠に流し込んで、蒸気養生してから固化することにより形成されることを特徴とする請求項２記載のペット埋葬具。
【請求項４】
上記収納部は全体直方体に形成されると共に上記蓋部は平面略長方形状に形成され、上記蓋部は上面が幅方向一方側に向かって傾斜して形成され、上記蓋部の上面にはペットのネームプレート取付部が設けられていることを特徴とする請求項１〜３のいずれか1項に記載されたペット埋葬具。
【請求項５】
上記蓋部は固定部材により上記収納部に固定しうるように形成されていることを特徴とする請求項１〜４のいずれか1項に記載されたペット埋葬具。
【請求項６】
上記固定部材はボルトであって、上記蓋部の隅角部が上記ボルトにより上記収納部に固定しうるように形成されていることを特徴とする請求項5記載のペット埋葬具。
【考案の詳細な説明】
【技術分野】
【０００１】
本考案はペット埋葬具に係り、特に、耐久性にすぐれ、質感の良好なペット埋葬具に関する。
【背景技術】
【０００２】
犬や猫等のペットを飼う人は多く、ペットに対し家族同様に強い愛情を注ぐ人も多い。
このようなペット愛好家は、ペットが死んだ際の悲しみが深く、死別したペットを供養したい気持ちが強い。
【０００３】
近年、死別したペットを偲び、かつ供養するために、火葬してペット埋葬具地に葬る人が増えている。このような人々の要望に応えるために特許文献１〜３に見られるように、各種のペット埋葬具が考案されている。
【０００４】
【特許文献１】登録実用新案公報  第３０２７５３７号
【０００５】
【特許文献２】登録実用新案公報  第３０４８４４８号
【０００６】
【特許文献３】特開２００４−１２４６２１号公報
【特許文献４】特許公報第２７７４９７７号公報
【０００７】
しかしながら、上記特許文献１及び特許文献３所載の墓は素材として石が用いられ、又、上記特許文献２所載の墓は水晶を用いて形成されることから、高価であるという不具合がある。
【０００８】
また、コンクリートで形成されたペット埋葬具も存在するが、補強筋を入れないと十分な強度及び耐久性が得られないという不具合がある。また、このようなコンクリートを用いて墓を形成した場合には、砂利等の骨材を使用することから、表面が平滑に形成できず、家族の一員であったペットのための埋葬具としては不適である、という不具合が存していた。
【考案の開示】
【考案が解決しようとする課題】
【０００９】
そこで本考案の課題は、安価で製作することができ、高強度を有し耐久性にすぐれ、表面が平滑で外観品質の良好なペット埋葬具を提供することにある。
【課題を解決するための手段】
【００１０】
上記課題を解決するために、本考案に係るペット埋葬具は、死別したペットを供養するためのペット埋葬具であって、ペットの遺骨等を収納して保管しうる略方体に形成された中空箱状の収納部と、上記収納部の開口部を密閉しうる蓋部とを有し、上記収納部と上記蓋部は、セメントを含有する粉末状混合物、混和剤及び繊維を主成分とする材料を用いて形成される。
【００１１】
すなわち、本考案に係るペット埋葬具は、略方体に形成された中空箱状の上記収納部内にペットの遺骨等を収納してから、上記蓋部により上記収納部の開口部を密閉することにより上記遺骨等を保管するものである。
また、上記収納部と上記蓋部を形成するための素材は、コンクリートと同様にセメントを主成分とするが、セメントだけではなく、他の粉末状素材も含有し、また、混和剤及び繊維も含有している。
【００１２】
また、本考案に係る上記ペット埋葬具にあっては、上記粉末状混合物にはセメント、珪砂及び反応性微粉末が含有され、上記混和剤には減水剤が使用され、上記繊維として鋼繊維もしくは有機繊維が用いられている。
【００１３】
すなわち、素材として使用する粉末状混合物のセメント以外の素材には、セメントよりも粒子が細かい珪砂や反応性微粉末が使用されている。また、成形後の強度を高めるために、混和剤には減水剤、繊維には鋼繊維もしくは有機繊維が使用されている。
【００１４】
また、本考案に係る上記ペット埋葬具にあっては、上記収納部及び上記蓋部は、上記粉末状混合物を水及び上記混和剤と共にミキサで混練し、更に繊維を投入して混練したものを型枠に流し込んで、蒸気養生してから固化することにより形成される。
【００１５】
すなわち、本考案に係る上記ペット埋葬具は、コンクリートを製造する場合と比べて使用する素材は異なるが、材料の混練、型枠への材料の注入、養生という、コンクリートを製造する工程とほぼ同様な工程により形成することができる。
【００１６】
また、本考案に係る上記ペット埋葬具にあっては、上記収納部は全体直方体に形成されると共に上記蓋部は平面略長方形状に形成され、上記蓋部は上面が幅方向一方側に向かって傾斜して形成され、上記蓋部の上面にはペットのネームプレート取付部が設けられている。
【００１７】
すなわち、本考案に係る上記ペット埋葬具は、上記蓋部の上面は水平ではなく、幾分傾斜している。これにより、雨が降っても雨水は蓋部の上面に溜まらず、即座に傾斜方向へ流れて落下する。
また、上記蓋部の上面に設けられた上記ネームプレート取付部にペットのネームプレートを固定すれば、側方から上記ネームプレートを目視できる。
【００１８】
また、本考案に係る上記ペット埋葬具にあっては、上記蓋部は固定部材により上記収納部に固定しうるように形成されている。
【００１９】
すなわち、上記蓋部が上記収納部に対し動いてしまうと、悪戯により蓋部が持ち去られたり、収納部の開口部が開けられて保管されていた遺骨等が盗難される等の、様々な不都合が生じるので、上記蓋部は固定部材により上記収納部に固定し、蓋部が安易に収納部から外れないように形成されている。
【００２０】
また、本考案に係る上記ペット埋葬具にあっては、上記固定部材はボルトであって、上記蓋部の隅角部が上記ボルトにより上記収納部に固定しうるように形成されている。
【００２１】
すなわち、上記蓋部を上記収納部に対し固定するための固定部材として、回転操作のみすればよくて作業がしやすく、また、堅固に固定しうるボルトが採用されている。
【考案の効果】
【００２２】
請求項１記載の本考案に係るペット埋葬具は、死別したペットを供養するためのペット埋葬具であって、ペットの遺骨等を収納して保管しうる略方体に形成された中空箱状の収納部と、上記収納部の開口部を密閉しうる蓋部とを有することから、上記収納部の内部に死別したペットの遺骨等を収納してから、上記蓋部で上記収納部の開口部を密閉することにより、上記遺骨等を大切に保管してペットを供養することができる。
また、上記収納部と上記蓋部は、セメントを含有する粉末状混合物、混和剤及び繊維を主成分とする材料を用いて形成されることから、石で形成されたものに比べ安価で提供することができると共に、コンクリート製のもののように補強筋が入らなくても高強度が得られ耐久性が向上する。
【００２３】
請求項２記載の本考案に係るペット埋葬具は、上記粉末状混合物にはセメント、珪砂及び反応性微粉末が含有され、上記混和剤には減水剤が使用され、上記繊維として鋼繊維もしくは有機繊維が用いられたことから、上記セメントの周囲の隙間に上記珪砂及び反応性微粉末が充填されて高密度になり、又、繊維が混入されることにより高強度になるので、耐久性が向上する。
また、一般のセメントの場合のように、砂利等の骨材が不要となることから表面が平滑で外観品質に優れたペット埋葬具を提供することができる。
【００２４】
請求項３記載の本考案に係るペット埋葬具は、上記収納部及び上記蓋部は、上記粉末状混合物を水及び上記混和剤と共にミキサで混連し、更に繊維を投入して混連したものを型枠に流し込んで、蒸気養生してから固化することにより形成されることから、一般のコンクリートと同様に製造することができ、従来のコンクリート製造設備を利用して形成することができるので、特別な製造設備が不要で製造コストを低減することができる。
【００２５】
請求項４記載の本考案に係るペット埋葬具は、上記収納部は全体直方体に形成されると共に上記蓋部は平面略長方形状に形成され、上記蓋部は上面が幅方向一方側に向かって傾斜して形成され、上記蓋部の上面にはペットのネームプレート取付部が設けられていることから、雨水が上記蓋部の上を流れて外方に落下しやすいため蓋部の上に溜まらず、雨水が上記収納部の内部に浸入するのを防止することができる。また、側方からでも上記蓋部の上面に取り付けられたペットのネームプレートを見やすい。
【００２６】
請求項５記載の本考案に係るペット埋葬具は、上記蓋部は固定部材により上記収納部に固定しうるように形成されていることから、上記蓋部が上記収納部から外れて、収納部の開口部が意に反して開くことがなく、収納部の内部に雨水等が流入して保管されていた遺骨等が劣化する等の不具合を防止することができる。
【００２７】
請求項６記載の本考案に係るペット埋葬具は、上記固定部材はボルトであって、上記蓋部の隅角部が上記ボルトにより上記収納部に固定しうるように形成されていることから、ボルトを締め付けるだけで容易に上記蓋部を上記収納部に対し堅固に固定することができる。
【考案を実施するための最良の形態】
【００２８】
以下、図面を用いて本発明の実施の形態について説明する。
本実施の形態に係るペット埋葬具１１は、死別したペットを供養するためのペット埋葬具１１であって、図１及び図２に示すように、ペットの遺骨等を収納して保管しうる略方体に形成された中空箱状の収納部１２と、上記収納部１２の開口部を密閉しうる蓋部１３とを有し、上記収納部１２と上記蓋部１３は、セメントを含有する粉末状混合物、混和剤及び繊維を主成分とする材料を用いて形成されている。
また、上記粉末状混合物にはセメント、珪砂及び反応性微粉末が含有され、上記混和剤には減水剤が使用され、上記繊維として鋼繊維もしくは有機繊維が用いられている。
また、上記収納部１２及び上記蓋部１３は、上記粉末状混合物を水及び上記混和剤と共にミキサで混連し、更に繊維を投入して混連したものを型枠に流し込んで、蒸気養生してから固化することにより形成される。
また、図１及び図２に示すように、上記収納部１２は全体直方体に形成されると共に上記蓋部１３は平面略長方形状に形成され、上記蓋部１３は上面１５が幅方向一方側に向かって傾斜して形成され、上記蓋部１３の上面１５にはペットのネームプレート取付部１６が設けられている。
また、図１及び図２に示すように、上記蓋部１３は固定部材１７により上記収納部１２に固定しうるように形成されている。
また、図２に示すように、上記固定部材１７はボルト１８であって、上記蓋部１３の隅角部が上記ボルト１８により上記収納部１２に固定しうるように形成されている。
【実施例１】
【００２９】
図は実施例に係るペット埋葬具１１を示したものである。
本実施例に係るペット埋葬具１１は、死別したペットを供養するためのもので、ペットの遺骨等を収納して保管するものとして構成されている。
【００３０】
上記ペット埋葬具１１は、図１及び図２に示すように、収納部１２と、蓋部１３と、固定部材１４と、ネームプレート１５とにより構成されている。
【００３１】
上記収納部１２は、中空箱状の略方体に形成され、開口部１６を上面部に有している。上記開口部１６の周囲には、側壁上縁部に沿って蓋部係合部１７が形成されている。
【００３２】
上記蓋部１３は、上記収納部１２の開口部１６を密閉しうるように形成され、側壁下縁部１８が上記蓋部係合部１７と係合しうるように形成されている。
【００３３】
上記蓋部１３は平面略長方形状に形成され、上記蓋部１３は上面１９が幅方向一方側に向かって傾斜して形成されている。
上記蓋部上面１９は略１５度傾斜するように形成されている。しかしながら、傾斜角度は任意であり、好ましいのは５〜３０度程度である。
【００３４】
上記蓋部１３の上面１９には、図２に示すように、ペットのネームプレート取付部２０が設けられている。上記ネームプレート取付部２０は平面長方形状で、上面１９に凹状に形成されている。
上記ネームプレート取付部２０には、図１に示すように、同形に形成されたネームプレート１５が嵌合され、接着剤で固定されている。
【００３５】
上記蓋部１３は固定部材１４により上記収納部１２に固定しうるように形成されている。
上記固定部材１４にはボルト２１が使用されている。
上記ボルト２１により上記蓋部１３と上記収納部１２とを固定するために、上記蓋部１３の四隅にボルト挿通孔部２２が設けられると共に、上記収納部１２の四隅にはボルト固定孔部２３が設けられている。
【００３６】
上記収納部１２と上記蓋部１３は、セメントを含有する粉末状混合物、混和剤及び繊維を主成分とする材料を用いて形成されている。
また、上記粉末状混合物にはセメント、珪砂及び反応性微粉末が含有され、上記混和剤には減水剤が使用され、上記繊維として鋼繊維もしくは有機繊維が用いられている。
上記反応性微粉末にはシリカフューム等が使用されている。
上記セメントには白色セメントが使用されている。これにより、全体が白色で、見栄えの良好なペット埋葬具１１を製造することができる。また、セメントを使用しながら砂利等の骨材を加えることがないため、形成表面の平滑な、外観品質の良好なペット埋葬品を形成することができる。
【００３７】
上記収納部１２及び上記蓋部１３は、以下の工程により形成されている。
まず、上記材料、すなわち、セメントを含有する粉末状混合物、混和剤及び繊維に水を加えて調・配合する。
なお、上記セメントを含有する粉末状混合物としては「ダクタルプレミックス」、専用鋼繊維としては「ダクタルＦＭ」、専用有機繊維としては「ダクタルＦＯ」（いずれも商品名で太平洋セメント社製）を使用した。
配合は以下の通りである。
水                      １８０ｋｇ／ｍ３ 
専用減水剤              ２４〜３０ｋｇ／ｍ３程度
ダクタルプレミックス    約２，３００ｋｇ／ｍ３
専用鋼繊維              １５７ｋｇ／ｍ３（２ｖｏｌ．％）
もしくは
専用有機繊維            ３９ｋｇ／ｍ３（３ｖｏｌ．％）
【００３８】
上記配合物を以下の順序で練混ぜする。その場合の目標フロー値は２５０〜２７０ｍｍである。
１．上記配合物を、内部の水分を完全除去したミキサ内に投入する。
２．その場合、まず、ダクタルプレミックス、水＋減水剤の順序で全量投入する。  
３．次に、上記ミキサの上蓋を閉じ、練混ぜを開始する。
４．１０分間練混ぜする。
５．練り混ぜを停止し、フロー値を確認する。
６．繊維を分散又は全量投入する。
７．３分間練混ぜする。
８．練り混ぜを停止し、フロー値を確認する。
９．排出する。
なお、上記配合物を練混ぜる場合、通常のセメントと比較して粘性があるので、通常のミキサよりも強力なモータのミキサを使用する。
【００３９】
次に、上記収納部１２と上記蓋部１３を成形するための型枠に、上記材料の混練物をゆっくりと流し込む。その場合、打込み面を平滑にするため、及びエントラップドエアを除去するために外部振動機を用いて加振することが好ましい。また、配合した繊維が沈降しない程度に加振する。
【００４０】
次に、６０℃状態下で３６時間、蒸気養生して製品を固める。すなわち、上記型枠に上記混練物を流し込んだのち、打込み面からの乾燥を防止するために、蒸気で湿潤状態を維持しながら養生する。その後、脱型したのち、２次養生を経て、上記収納部１２と上記蓋部１３が完成する。
【００４１】
表１は、形成されて上記収納部１２と上記蓋部１３の物性値を示している。
【表１】
0003124106.tif 000003
【００４２】
本実施例に係る上記収納部１２と上記蓋部１３は、上記表１からも明らかなように、高強度コンクリート製のものに比べ、圧縮強度、曲げ強度、引張り強度が勝り、耐久性に優れている。
【００４３】
以下に、上記実施例の作用について説明する。
本実施例に係るペット埋葬具１１は、略方体に形成された中空箱状の収納部１２に、死別したペットの遺骨等を収納して保管することができる。
また、上記収納部１２の開口部１６は上記蓋部１３により密閉されることから、上記収納部１２に保管されたペットの遺骨等は、外部環境の影響を受けにくく、大切に保存することができる。
【００４４】
また、上記収納部と上記蓋部は、セメントを含有する粉末状混合物、混和剤及び繊維を主成分とする材料を用いて形成されることから、石で形成されたものに比べ安価で提供することができる。
また、コンクリート製のもののように補強筋が入らなくても高強度が得られ耐久性が向上する。
また、上記粉末状混合物にはセメント、珪砂及び反応性微粉末が含有され、上記混和剤には減水剤が使用され、上記繊維として鋼繊維もしくは有機繊維が用いられたことから、上記セメントの周囲の隙間に上記珪砂及び反応性微粉末が充填されて高密度になり、又、繊維が混入されることにより高強度になるので、耐久性が向上する。
また、上記ペット埋葬具１１は、上記収納部１２及び上記蓋部１３が、上記粉末状混合物を水及び上記混和剤と共にミキサで混練し、更に繊維を投入して混練したものを型枠に流し込んで、蒸気養生してから固化することにより形成されることから、一般のコンクリートと同様に製造することができ、従来のコンクリート製造設備を利用して形成することができるので、特別な製造設備が不要で製造コストを低減することができる。
【００４５】
また、上記ペット埋葬具１１は、上記蓋部１３の上面１９が幅方向一方側に向かって傾斜して形成されていることから、雨が降っても、雨水が上記蓋部１３の上面１９を流れて外方に落下するので、上記蓋部１３の上に溜まらず、雨水が上記収納部１２の内部に浸入するのを防止することができる。また、上記蓋部１３の傾斜した上面１９にはペットのネームプレート取付部２０が設けられていることからた、側方からでも上記蓋部１３の上面１９に取り付けられたペットのネームプレート１５を見やすい。
また、上記ペット埋葬具１１にあっては、上記蓋部１３は固定部材１４としてのボルト２１により上記収納部１２に固定されるので、上記蓋部１３が上記収納部１２から外れて、収納部１２の開口部１６が意に反して開くことがなく、収納部１２の内部に雨水等が流入して保管されていた遺骨等が劣化する等の不具合を防止することができる。
【産業上の利用可能性】
【００４６】
本考案はペット用の各種埋葬具に適用可能である。
【図面の簡単な説明】
【００４７】
【図１】本考案の実施例に係るペット埋葬具の斜視図である。
【図２】本考案の実施例に係るペット埋葬具の構成部材を分離した状態の斜視図である。
【符号の説明】
【００４８】
１１  ペット埋葬具
１２  収納部
１２  蓋部
１４  固定部材
１５  ネームプレート
１６  開口部
１７  蓋部係合部
１８  側壁下縁部
１９  上面
２０  ネームプレート取付部
２１  ボルト
２２  ボルト挿通孔部
２３  ボルト固定孔部
【図１】
0003124106.tif 000004
【図２】
0003124106.tif 000005